【手続補正書】
【提出日】平成18年5月25日(2006.5.25)
【手続補正１】
【補正対象書類名】明細書
【補正対象項目名】請求項２
【補正方法】変更
【補正の内容】
【請求項２】  前記偏向制御手段は、ＰＬＬで構成され、
前記残留位相付加手段は、所定の波形を有する変調信号を発生できる波形発生器であり、
前記変調信号が前記ＰＬＬに入力されることによって、前記水平パルスの位相が制御されることを特徴とする請求項１に記載の水平歪補正装置。
【手続補正２】
【補正対象書類名】明細書
【補正対象項目名】０００２
【補正方法】変更
【補正の内容】
【０００２】
【従来の技術】
近年、コンピュータ用のＣＲＴディスプレイ装置は、様々な走査周波数に対応するものが一般的となってきている。しかしながら、ＣＲＴディスプレイ装置で表示される画像には、ＣＲＴディスプレイ装置の製作時の組立精度誤差に起因とする歪みが不可避である。これらの歪みの中には、画像が水平方向に変形する水平歪みがある。水平歪みには、センターズレ歪み、平行四辺形歪み、および弓形歪み等がある。これらの水平歪みは、水平方向に画像の位相がずれており、画像を正しく表示するには水平方向への位相補正を必要とする。以下に、図３１、図３２、図３３、および図３４を参照して、これら水平歪みの個々について簡単に説明する。
【手続補正３】
【補正対象書類名】明細書
【補正対象項目名】０００５
【補正方法】変更
【補正の内容】
【０００５】
画像信号Ｓｖは、水平同期信号Ｈｓｙｎｃのパルスの立ち下がり（時刻ｔ３）より所定の期間後の時刻ｔ４における、水平偏向電流Ｉｈｄの立ち下がりエッジに対応して、１ライン分のラスタ画像の描画を開始する。そして、時刻ｔ８より所定の期間（ＲｉＲ）先だった時刻ｔ６にラスタ描画を終了する。この時刻ｔ４から時刻ｔ５までの期間ＲｉＬに対応する、ラスタ画面Ｆｒおよび画像画面Ｆｖの間隔を左帰線期間ＲｉＬと呼ぶ。同様に、時刻ｔ６から時刻ｔ８間での期間ＲｉＲに対応する、ラスタ画面Ｆｒおよび画像画面Ｆｖ
の間隔を右帰線期間ＲｉＲと呼ぶ。
【手続補正４】
【補正対象書類名】明細書
【補正対象項目名】０００６
【補正方法】変更
【補正の内容】
【０００６】
これらの映像信号を受けて、ＣＲＴディスプレイ装置によって、表示される画像の画面構成は以下の通りである。画像は、ＣＲＴディスプレイ装置のキャビネットの表示枠Ｆｃに対して、同心状に表示されることによって、ユーザは違和感無く画像を認識できる。そのために、ＣＲＴディスプレイ装置に表示される画像はラスタ画面Ｆｒと画像画面Ｆｖの二種類を含む。ラスタ画面Ｆｒは、ラスタと呼ばれる走査線の集合で表示される画面であり、キャビネット表示枠Ｆｃよりも大きな範囲で走査されている。
【手続補正５】
【補正対象書類名】明細書
【補正対象項目名】０００７
【補正方法】変更
【補正の内容】
【０００７】
つまり、画像画面Ｆｖは、ラスタ画面Ｆｒがキャビネット表示枠Ｆｃに映出されたものとして視聴できる。画像画面Ｆｖは実際の映像を表している。走査線が図面上、左から右に走査されるものとすると、ラスタ画面Ｆｒの左端から画像画面Ｆｖの左端までの左帰線間隔ＲｉＬは通常は一定である。左帰線間隔ＲｉＬが一定というのは、水平偏向電流Ｉｈｄと水平同期信号Ｈｓｙｎｃが同期しており、結果、水平同期信号Ｈｓｙｎｃと映像信号Ｓｖの時間的関係が一定であるからである。同様に、右帰線期間ＲｉＲも一定である。
【手続補正６】
【補正対象書類名】明細書
【補正対象項目名】００１４
【補正方法】変更
【補正の内容】
【００１４】
一方、図３６に、偏向制御部をＣＲＴに対して若干の傾きを持って、ＣＲＴディスプレイ装置に取り付けた場合を示す。同例においては、偏向磁極６が図３５に示した場合に比べて、ＣＲＴに対して角度α（図示せず）だけ傾いている。結果、偏向磁極６によって、電子線Ｅｂを垂直方向へと偏向走査させても、ＣＲＴの表示画面上の輝線Ｌｂは、水平線Ｌｈに対して垂直では無く斜めになってしまう。これが平行四辺形歪みの主たる原因である。
【手続補正７】
【補正対象書類名】明細書
【補正対象項目名】００２１
【補正方法】変更
【補正の内容】
【００２１】
ＰＬＬ回路１４は、ＨパルスＨｐを入力とし、それに同期した鋸波状の水平偏向電流Ｉｈｄを出力する。水平偏向電源１５は結合コイル１６を経由して、それより下流に配置されたドライブコイル１９に直流高電圧を供給する。水平ドライブコイル１９は、電子銃５
から発射された電子線Ｅｂに磁界を印加し水平方向に偏向させる。リニアリティコイル２０、およびＳ字コンデンサ２１は、何れも電子線Ｅｂの偏向補正に用いられる。
【手続補正８】
【補正対象書類名】明細書
【補正対象項目名】００２４
【補正方法】変更
【補正の内容】
【００２４】
上述のように、ＣＲＴの組立時の要因により平行四辺形歪ラスタ画面Ｆｒｈの中心Ｏｐはキャビネット表示枠Ｆｃの中心Ｏｃに対してずれている。同図に示す例においては、キャビネット表示枠Ｆｃを通してみる画像画面Ｆｖは、平行四辺形歪ラスタ画面Ｆｒｈの中心Ｏｐより左側の部分が多くなる。つまり、画像画面Ｆｖは、キャビネット枠中心Ｏｃに対して、右側にずれた映像に偏って見える。つまり、あたかも水平偏向電流Ｉｈｄが、正側に遷移或いは正側の振幅ｈ１が負側の振幅ｈ２よりも大きいように見える。このような、水平方向にずれている画像画面Ｆｖを水平歪み画像画面Ｆｖｈ（図示せず）と呼ぶ。
【手続補正９】
【補正対象書類名】明細書
【補正対象項目名】００２６
【補正方法】変更
【補正の内容】
【００２６】
つまり、水平偏向電流Ｉｈｄの位相を水平歪補正電流Ｉｃに相当する分だけ、マイナス方向に遷移、つまり遅延させる。このような、水平偏向電流Ｉｈｄの振幅は、０Ａを中心として、非対称なｈ１’およびｈ２’になるが、ラスタ画面Ｆｒはキャビネット表示枠Ｆｃに対して、左側にシフトし、キャビネット表示枠Ｆｃから見た平行四辺形歪画像画面のセンターズレ歪みが補正されて画像画面Ｆｖが表示される。
【手続補正１０】
【補正対象書類名】明細書
【補正対象項目名】００２７
【補正方法】変更
【補正の内容】
【００２７】
図３９に、ＰＬＬ回路１４の構成を示す。ＰＬＬ回路１４は、位相比較器２９、ローパスフィルター（以後「ＬＰＦ」と称す）３０、電圧制御発振器（以後「ＶＣＯ」と称す）３１、１／Ｎ分周器３２、パルス発生器３３、水平出力回路３４を含む。位相比較器２９は、ＣＲＴディスプレイ装置Ｃｃｒｔの信号分離制御器１１に接続されて、ＨパルスＨｐが入力される。位相比較器２９は、さらに水平出力器３４にも接続されて、１Ｈ（水平同期期間）毎の水平偏向走査のスタート時を示す信号であるフライバックパルスＦＢＰが入力される。
【手続補正１１】
【補正対象書類名】明細書
【補正対象項目名】００２９
【補正方法】変更
【補正の内容】
【００２９】
ＶＣＯ３１は、入力電圧によって発振周波数ＦＯが変化するもので、一般に図４０に示
されるように発振最大周波数ＦＯｍａｘに対応する発振最大入力電圧ＶＯｍａｘと発振最小周波数に対応する発振最小入力電圧の間にあるＶＣＯ制御基準電圧（以後「ＶＣＳＶ」と称す）で動作するように設計される。なお、発振周波数ＦＯや発振入力電圧ＶＯはＶＣＯ３１の設計および部品の特性等で決まるものである。
【手続補正１２】
【補正対象書類名】明細書
【補正対象項目名】００３０
【補正方法】変更
【補正の内容】
【００３０】
ＶＣＯ３１で発振された発振信号Ｓｏは、所望する水平偏向電流Ｉｈｄと比べて高い周波数を有するので、１／Ｎ分周器３２によって所望の周波数に分周されて分周信号Ｓｄが生成される。なお、Ｎは所望の周波数と入力される発振信号Ｓｏの周波数の比の逆数である。この所望の周波数を有する分周信号Ｓｄに基づいて、パルス発生器３３は、所望のデューティー比を有するパルスＰｄを生成する。このパルスＰｄに基づいて、水平出力器３４は水平偏向電流Ｉｈｄを生成して、水平ドライブコイル１９等に供給する。
【手続補正１３】
【補正対象書類名】明細書
【補正対象項目名】００３１
【補正方法】変更
【補正の内容】
【００３１】
なお、水平出力器３４は、水平偏向電流Ｉｈｄの生成と同時に、この水平偏向電流Ｉｈｄに対応したフライバックパルスＦＢＰを生成する。フライバックパルスＦＢＰが位相比較器２９にフィードバックされて、信号分離制御器１１から入力されるＨパルスＨｐに基づいて、さらにフライバックパルスＦＢＰを生成するまでの間の処理を１サイクルの水平同期処理と呼ぶ。そして、現サイクルの水平同期処理において生成されたフライバックパルスＦＢＰに基づいて、次の水平同期処理サイクルが実施される。
【手続補正１４】
【補正対象書類名】明細書
【補正対象項目名】００３３
【補正方法】変更
【補正の内容】
【００３３】
位相差電圧Ｖｄｐによって、ＶＣＯ３１は、発振周波数をより高くすることを要求されて、より高い周波数（パルス間隔の短い）を発振して、発振信号Ｓｏを生成する。発振信号Ｓｏは、１／Ｎ分周器３２によって、１／Ｎの周波数を有するように分周されて分周信号Ｓｄが生成される。分周信号Ｓｄに基づいて、パルス発生器３３は適当なデューティー比を有する水平偏向電流Ｉｈｄを生成して、水平出力器３４に出力する。
【手続補正１５】
【補正対象書類名】明細書
【補正対象項目名】００３５
【補正方法】変更
【補正の内容】
【００３５】
結果、ＶＣＯ３１へ入力される位相差電圧Ｖｄｐは、前サイクルの場合に比較して小さ
くなる。よって、位相差電圧ＶｄｐがＶＣＯ３１に増加させるように要求する発振周波数ＦＯは、前サイクル時に比べて小さい。このようにして、最終的には、ＨパルスＨｐと同期のとれたフライバックパルスＦＢＰが出力されることになり、ＨパルスＨｐと同期のとれた水平偏向電流Ｉｈｄが得られる。
【手続補正１６】
【補正対象書類名】明細書
【補正対象項目名】００３８
【補正方法】変更
【補正の内容】
【００３８】
それゆえ、図４２に示すように、図３７に示したＰＬＬ回路１４から１サイクル毎に出力される水平偏向電流ＩｈｄにＩｃ１、Ｉｃ２、Ｉｃ３、・・・のように重畳する水平歪補正電流Ｉｃの量を変えると、ＣＲＴ上で観測した場合水平走査線ＬｈｓＮは、Ｎが大きくなるにつれて、図面において右側に徐々にシフトして、ラスタ画面Ｆｒは平行四辺形状に歪む。
【手続補正１７】
【補正対象書類名】明細書
【補正対象項目名】００４８
【補正方法】変更
【補正の内容】
【００４８】
【発明の実施の形態】
（第１の実施形態）
以下に、図１、図２、図３、図４および図５を参照して、本発明の第１の実施形態にかかる水平歪補正装置について説明する。図１に本実施形態にかかる水平歪補正装置ＨＤＣｐを組み込んだＣＲＴディスプレイ装置Ｐｃｒｔを示す。ＣＲＴディスプレイ装置Ｐｃｒｔは、図３７に示した従来のＣＲＴディスプレイ装置Ｃｃｒｔと同様に、大別して、信号分離制御器１１、ＣＲＴ２４、水平歪補正装置ＨＤＣｐ、制御器２２、および波形調整器１００ｆを含む。
【手続補正１８】
【補正対象書類名】明細書
【補正対象項目名】００５１
【補正方法】変更
【補正の内容】
【００５１】
水平歪補正装置ＨＤＣｐは、ＰＬＬ回路１４、水平偏向電源１５、結合コイル１６、水平ドライブコイル１９、リニアリティコイル２０、Ｓ字コンデンサ２１、歪補正波形発生器１００、および抵抗１０１を含む。つまり、水平歪補正装置ＨＤＣｐは、従来の水平歪補正装置ＨＤＣから、センタリング回路１８、センタリング調整器１８０を取り除く一方、歪補正波形発生器１００、および抵抗１０１が、新たに追加された構成を有している。なお、歪補正波形発生器１００は、外部に設けられた波形調整器１００ｆに接続されている。
【手続補正１９】
【補正対象書類名】明細書
【補正対象項目名】００５６
【補正方法】変更
【補正の内容】
【００５６】
ＶＣＯ３１は、入力電圧によって発振周波数ＦＯが変化するもので、図３６を参照して説明したように、発振最大周波数ＦＯｍａｘに対応する発振最大入力電圧ＶＯｍａｘと、発振最小周波数に対応する発振最小入力電圧の間にあるＶＣＯ制御基準電圧ＶＣＳＶで動作するように設計される。なお、発振周波数や発振入力電圧はＶＣＯ３１の設計および部品の材質等で決まるものである。
【手続補正２０】
【補正対象書類名】明細書
【補正対象項目名】００６３
【補正方法】変更
【補正の内容】
【００６３】
ＰＬＬ回路１４は、既に説明した同期機能によって、ＨパルスＨｐと位相が異なるフライバックパルスＦＢＰの同期をとろうとする。しかし、ＬＰＦ３０に設定した定電圧Ｖｃ分のバイアスため、フライバックパルスＦＢＰは、ＨパルスＨｐと位相がずれた状態で安定する。ＰＬＬ回路は、通常入力された信号（ＨパルスＨｐ）と、自らの出力信号（フライバックパルスＦＢＰ）の位相差をゼロにすべく動作するが、本実施形態においては、上述のようにバイアス電圧ＶｃをＰＬＬ回路１４に与えることによって、意図的に位相差を生じさせている。この位相差を、ＰＬＬ回路１４がロック状態にあるにもかかわらず入力信号と出力信号の間に生じる位相差ということで残留位相と呼ぶ。
【手続補正２１】
【補正対象書類名】明細書
【補正対象項目名】００７４
【補正方法】変更
【補正の内容】
【００７４】
上述のように、本実施形態においては、定電圧源でバイアスをかけて、残留位相を残すことによって、センターズレ歪みを補正する。そのために、ＰＬＬに意図的に残留位相を付してラスタ画面Ｆｒと映像信号の位相を調整している。
【手続補正２２】
【補正対象書類名】明細書
【補正対象項目名】００７８
【補正方法】変更
【補正の内容】
【００７８】
ＶＣＯ３１の入力電圧を変化させると、水平偏向電流ＩｈｄとＨパルスＨｐの位相がずれていくのは、第１実施形態に関して説明した通りである。すなわち、位相差電圧Ｖｄｐ（ＶＣＳＶ）の様にＶＣＯ３１の入力電圧（位相差電圧Ｖｄｐ）が変化すると、フライバックパルスＦＢＰはＨパルスＨｐと位相がずれる。つまり、水平偏向電流ＩｈｄがＨパルスＨｐとの関係では位相ズレが生じていることを意味する。図６の最下段にＨパルスＨｐと水平偏向電流Ｉｈｄを同時に表示し、それらの関係を明確にしている。
【手続補正２３】
【補正対象書類名】明細書
【補正対象項目名】００９０
【補正方法】変更
【補正の内容】
【００９０】
これを、ＶＣＯ３１と残留位相の関係を示す前述の図１０に照らして見ると、バイアスとなる定電圧があることによって、ＶＣＳＶの近傍からはずれた領域ＲＡ若しくは領域ＲＢで、ＰＬＬ回路１４を動作させる。これはＶＣＳＶの近傍のリニアリティの無い領域ＲＣを使用せずに、ＶＣＯ３１の入力電圧（Ｖｄｐ）と残留位相の関係がリニアな部分、すなわち領域ＲＡ又は領域ＲＢの部分を用いて平行四辺形歪みの補正を行う。このようにすることによって、図１２を参照して説明したようなＨパルスＨｐとＦＢＰの位相差を検知できない非リニア領域があっても、一様な平行四辺形歪みが補正できる。
【手続補正２４】
【補正対象書類名】明細書
【補正対象項目名】００９６
【補正方法】変更
【補正の内容】
【００９６】
この状態を、図２１、図２２、図２３、および図２４を参照して説明する。図２１において、ＶＣＯ制御基準電圧ＶＣＳＶに対してバイアス電圧Ｖｃに鋸波の補正波形（波形信号Ｓｗ）が重畳されていることを示す。図２２および図２３には、それぞれＨパルスＨｐとフライバックパルスＦＢＰとが示されている。図２２に示すように、画像画面Ｆｖの上側ではフライバックパルスＦＢＰはＶＣＳＶに対してバイアス分相当と補正信号Ｓｃ１の分だけ、ＨパルスＨｐからずれている。一方、画像画面Ｆｖの下側は、図２３に示すように、フライバックパルスＦＢＰは、バイアス電圧Ｖｃと補正信号Ｓｃ２との分だけＨパルスＨｐからずれる。
【手続補正２５】
【補正対象書類名】明細書
【補正対象項目名】００９７
【補正方法】変更
【補正の内容】
【００９７】
図２４に、上述の場合におけるラスタ画面Ｆｒと水平同期信号Ｈｓｙｎｃの関係を示す。フライバックパルスＦＢＰのＨパルスＨｐに対するズレは、鋸波期間（ラスタ画面Ｆｒにおいては垂直ブランキング期間に相当）のわずかの間にバイアス電圧Ｖｃの位相に戻らなければならない。この時、ＰＬＬ回路１４はＨパルスＨｐの度に、ＨパルスＨｐとＦＢＰの位相差を小さくしようとする。それゆえ、戻らなければならない位相分と、それまでに入力されるＨパルスＨｐの数に対するＰＬＬ回路１４の応答速度によって鋸波帰還期間が終了した時、フライバックパルスＦＢＰとＨパルスＨｐの位相差がどのようになっているかが決まる。
【手続補正２６】
【補正対象書類名】明細書
【補正対象項目名】０１０４
【補正方法】変更
【補正の内容】
【０１０４】
図２７を参照して、本実施形態にかかる水平偏向制御器が組み込まれたＣＲＴディスプレイ装置について説明する。ＣＲＴディスプレイ装置ＰｃｒｔＲは、図１に示したＣＲＴディスプレイ装置Ｐｃｒｔに、垂直水平周波数検出器１０４が新たに設けられていると共に、水平歪補正装置ＨＤＣｐが水平歪補正装置ＨＤＣｐｒに交換されている。垂直水平周
波数検出器１０４は、外部の映像信号源に接続されて入力信号Ｓｉから水平周波数ｆＨおよび垂直周波数ｆＶを検出して、水平歪補正装置ＨＤＣｐＲの波形発生器１００に出力する。
【手続補正２７】
【補正対象書類名】明細書
【補正対象項目名】０１０５
【補正方法】変更
【補正の内容】
【０１０５】
図２８にその構成を示すように、波形発生器１００は、制御器１１０、記憶器１１１、および波形発生器１１２を含む。制御器１１０は、垂直水平周波数検出器１０４に接続されて、入力される水平周波数ｆＨおよび垂直周波数ｆＶに基づいて、ライン数（ｆＨ／ｆＶ）を算出する。そして、予め記憶器１１１に記録させておいた水平ライン数と付加波形の振幅の関係と、ユーザによって波形調整器１００ｆによって入力された補正量をもとに、波形発生器１１２が補正波を発生させＰＬＬ回路１４に出力する。
【手続補正２８】
【補正対象書類名】明細書
【補正対象項目名】０１１３
【補正方法】変更
【補正の内容】
【０１１３】
ステップＳ２において、水平周波数ｆＨおよび垂直周波数ｆＶに基づいて、ライン数が求められる。そして、処理は次のステップＳ３に進む。
【手続補正２９】
【補正対象書類名】明細書
【補正対象項目名】図面の簡単な説明
【補正方法】変更
【補正の内容】
【図面の簡単な説明】
【図１】
本発明の第１の実施形態にかかる水平歪補正装置が組み込まれたＣＲＴディスプレイ装置を示すブロック図である。
【図２】
図１に示した水平歪み制御装置の動作を示すタイミングチャートである。
【図３】
センタ−ズレを生じてる画面を表す説明図である。
【図４】
図１に示した水平歪補正装置のＬＰＦ３０の詳細な構造を示すブロック図である。
【図５】
ＶＣＯの入力波形についての説明図である。
【図６】
本発明の第２の実施形態にかかる水平歪補正装置による平行四辺形歪み補正動作を表すタイミングチャートである。
【図７】
図６に示す水平歪補正装置による平行四辺形歪みの補正動作の説明図である。
【図８】
図６に示す水平歪補正装置による平行四辺形歪みの補正動作の説明図である。
【図９】
図６に示す水平歪補正装置による平行四辺形歪みの補正動作の説明図である。
【図１０】
ＶＣＯにおける残留位相と位相差電圧Ｖｄｐとの関係の説明図である。
【図１１】
ＰＬＬ回路中の位相比較器に入力される信号の位相差に対する出力の特性を示す図である。
【図１２】
本発明の第３の実施形態にかかる水平歪補正装置の動作を示すタイミングチャートである。
【図１３】
図１２に示した動作におけるラスタ画面と水平走査線の関係の説明図である。
【図１４】
図１２に示した水平歪補正装置の波形信号の波形についての説明図である。
【図１５】
図１４に示した動作におけるラスタ画面と水平走査線の関係の説明図である。
【図１６】
図１４に示した動作におけるラスタ画面と水平走査線の関係の説明図である。
【図１７】
図１２に示した水平歪補正装置による弓形歪みの補正方法の説明図である。
【図１８】
図１７に示した動作におけるラスタ画面と水平走査線の関係の説明図である。
【図１９】
図１７に示した動作におけるラスタ画面と水平走査線の関係の説明図である。
【図２０】
本発明の第４の実施形態にかかる水平歪補正装置によって補正される水平歪みの一例を示す説明図である。
【図２１】
図２０に示した水平歪みを補正するためにＶＣＯ制御基準電圧に重畳されるバイアス電圧Ｖｃを示す説明図である。
【図２２】
図２０に示した水平歪みの補正時におけるＨパルスとフライバックパルスＦＢＰの関係を示す説明図である。
【図２３】
図２０に示した水平歪みの補正時におけるＨパルスとフライバックパルスＦＢＰの関係を示す説明図である。
【図２４】
図２０に示した水平歪みの補正時におけるラスタ画面Ｆｒと水平同期信号Ｈｓｙｎｃの関係を示す説明図である。
【図２５】
本発明の第３の実施形態において用いられる補正波の形状についての説明図である。
【図２６】
図２５に示した補正波を、どんな補正波に対しても追従可能な理想的なＰＬＬ回路に対して用いた場合のラスタ画面と画像画面の状態の説明図である。
【図２７】
本発明の第５の実施形態にかかる水平歪補正装置が組み込まれたＣＲＴディスプレイ装置を示すブロック図である。
【図２８】
図２７に示す水平補正装置に用いられる歪補正波形発生器の構造を示すブロック図で
ある。
【図２９】
図２８に示す記憶器に記録させておく水平ライン数と鋸波に付加する付加信号の振幅量の関係の説明図である。
【図３０】
図２７に示した水平歪補正装置に動作を示すフローチャートである。
【図３１】
映像信号を成する各種信号と、ＣＲＴディスプレイ装置に表示される画面との関係の説明図である。
【図３２】
ＣＲＴディスプレイ装置に表示される画像のセンターズレ歪みの例を示す説明図である。
【図３３】
ＣＲＴディスプレイ装置に表示される画像の平行四辺形歪みの例を示す説明図である。
【図３４】
ＣＲＴディスプレイ装置に表示される画像の弓形歪みの例を示す説明図である。
【図３５】
ＣＲＴディスプレイ装置に対して、電子ビーム偏向装置が正しく取り付けられた場合の表示の説明図である。
【図３６】
ＣＲＴディスプレイ装置に対して、電子ビーム偏向装置がずれて取り付けられた場合の表示の説明図である。
【図３７】
従来の水平歪み補正装置を組み込んだＣＲＴディスプレイ装置の構造を示すブロック図である。
【図３８】
画像画面のズレ調整時の水平偏向電流と水平歪補正電流の関係の説明図である。
【図３９】
画像の水平歪補正装置に用いられるＰＬＬ回路の構成を示すブロック図である。
【図４０】
ＶＣＯにおける入力電圧と発振周波数の関係の説明図である。
【図４１】
ＰＬＬ回路がＨパルスＨｐに同期した水平偏向電流を生成する過程を模式的に示すタイミングチャートである。
【図４２】
水平偏向電流に水平歪補正電流を重畳するとキャビネット表示枠Ｆｃに対するラスタ画面の位置がシフトすることの説明図である。
【図４３】
ＣＲＴディスプレイ装置の組立時の要因で平行四辺形状に歪んだラスタ画面と水平走査線の関係の説明図である。
【図４４】
図３７に示した水平歪補正による水平歪補正時のラスタ画面と水平走査線の関係の説明図である。
【図４５】
図３７に示した水平歪補正による水平歪補正時のラスタ画面と水平走査線の関係の説明図である。
【図４６】
図３７に示した水平歪補正時、センタリング回路の出力電流と、Ｖパルスとの関係の説明図である。
【符号の説明】
Ｐｃｒｔ、Ｃｃｒｔ  ＣＲＴディスプレイ装置
１１  信号分離制御器
１２  映像信号制御器
１３  垂直偏向制御器
１４  ＰＬＬ回路
１５  水平偏向電源
１６  結合コイル
１７  結合コイル
１８  センタリング回路
１９  水平ドライブコイル
２０  リニアリティコイル
２１  Ｓ字コンデンサ
２２  制御器
２４  ＣＲＴ
２９  位相比較器
３０  ＬＰＦ
３１  ＶＣＯ
３２  １／Ｎ分周器
３３  パルス発生器
３４  水平出力回路
１００  歪補正波形発生器
１００ｆ  波形調整器
１１０  制御器
１１１  記憶器
１１２  波形発生器
１１５  定電圧発生器
１１６  鋸波発生器
１１７  パラボラ波発生器
１１８  付加波形発生器
１８０  センタリング調整器
Ｓｉ  入力信号
Ｓｖｉ  映像信号
Ｖｐ  Ｖパルス
Ｈｐ  Ｈパルス
Ｉｈｄ  水平偏向電流
Ｓｗ  波形信号
ＦＢＰ  フライバックパルス
ＶＣＳＶ  ＶＣＯ制御基準電圧
Ｖｃ  バイアス電圧
Ｆｒ、Ｆｒｃ  ラスタ画面
Ｆｃ  キャビネット表示枠
Ｆｖ、Ｆｖｃ画像画面
【手続補正３０】
【補正対象書類名】図面
【補正対象項目名】図４０
【補正方法】変更
【補正の内容】
【図４０】
2000047623.tif 000001